(57)【要約】【課題】外出時に必ず携帯する鍵から自宅の施錠状況を簡単に確認できるようにすることを課題とする。【解決手段】鍵１は、鍵部の端子３６を通じてドアから開錠状態又は施錠状態を示す信号を受信し、表示部１３において、開錠状態時には赤発光素子３１を点灯表示し、施錠状態時には青発光素子３３を点灯表示する。また、鍵１はドア及び住宅側で確認されたドアの施錠又は開錠状態を無線通信によって通知される。鍵１は、通知を受けると上述のように施錠又は開錠に応じて発光素子を点灯させる。【選択図】      図３
2004270195.tif 000002
【特許請求の範囲】
【請求項１】
ドアの鍵穴に差し込んで開錠又は施錠を行うための表示機能付き鍵であって、
鍵本体と、
前記鍵本体に設けられ、前記鍵穴に差し込んで前記ドアの開錠又は施錠を行うための鍵部と、
前記鍵本体に設けられ、前記ドアの開錠状態又は施錠状態に応じて異なる色を発光表示する発光表示手段と、
を備えたことを特徴とする表示機能付き鍵。
【請求項２】
前記鍵部は前記ドアの鍵穴より信号を受信する受信手段を有し、前記鍵本体は前記受信手段により受信された信号に基づいて前記ドアの開錠状態又は施錠状態を発光表示することを特徴とする請求項１に記載の表示機能付き鍵。
【請求項３】
鍵とドア間で通信を行うドア開閉状態確認システムであって、
前記ドアは、
開錠状態又は施錠状態を判断する開閉判断手段と、
前記鍵との間で通電して前記開閉判断手段で判断された開錠状態又は施錠状態を示す信号を前記鍵部に送出する通信手段と、
を有し、
前記鍵は、
前記ドアとの間で通電して前記通信手段により送出される信号を受信する受信手段と、
前記受信手段で受信された信号に基づいて前記ドアの開錠状態又は施錠状態を異なる色で発光表示する発光表示手段と、
を有したことを特徴とするドア開閉状態確認システム。
【請求項４】
インターネットを介して鍵とドアを有する住居又は車両間で通信を行うドア開閉状態確認システムであって、
前記住居または車両は、
前記ドアの開錠状態又は施錠状態を判断する開閉判断手段と、
前記インターネットを介して前記鍵と交信して前記開閉判断手段で判断された開錠状態又は施錠状態を示す信号を前記鍵に送信する送信手段と、
を有し、
前記鍵は、
前記インターネットを介して前記住居又は車両と交信して前記送信手段により送信される信号を受信する受信手段と、
前記受信手段で受信された信号に基づいて前記ドアの開錠状態又は施錠状態を異なる色で発光表示する発光表示手段と、
を有したことを特徴とするドア開閉状態確認システム。
【請求項５】
前記送信及び受信手段は、メールを用いて行うことを特徴とする請求項４に記載のドア開閉状態確認システム。
【発明の詳細な説明】
【０００１】
【発明の属する技術分野】
本発明は、例えば、表示機能付き鍵及びドア開閉状態確認システムに関する。
【０００２】
【従来の技術】
近年、外出先からドアの鍵の開錠状態や施錠状態をモバイル端末によって確認することができる技術として、ＩＰｖ６インターネットを利用した情報家電コントローラ等のシステムが提案されている。
【０００３】
このシステムでは、外出先からセキュアに情報家電コントローラに繋がる家庭内の機器をコントロール（電源のオン・オフ、家庭内映像のモニタリング）することが可能である。
【０００４】
また、最近では、モバイル端末の１つである携帯電話を用いて家の戸締りの状態を確認するセキュリティシステムが提案されている。
【０００５】
【発明が解決しようとする課題】
しかしながら、今日提案されているシステムは、携帯電話、ノートＰＣ等のモバイル端末を用いて施錠状況を確認する構成となっているので、自宅から外出する時あるいはマイカーから離れる時にモバイル端末を携帯してはじめて、施錠状況を確認することができる。
【０００６】
また、ドアから離れた後、自身の施錠の有無は確認できても、その後、第三者によりドアの開錠があってもその情報を入手することはできなかった。この場合、ユーザがモバイル端末を使って自分から施錠状況を確認する必要があった。
【０００７】
本発明の目的は、外出時に必ず携帯する鍵から自宅の施錠状況を簡単に確認することが可能な表示機能付き鍵及びドア開閉状態確認システムを提供することにある。
【０００８】
本発明の他の目的は、上記目的に加えて、外出時に、自宅の施錠状況の変化を携帯している鍵からを簡単に確認することが可能なドア開閉状態確認システムを提供することにある。
【０００９】
【課題を解決するための手段】
上述した課題を解決し、上記目的を達成するため、請求項１の発明に係る表示機能付き鍵は、ドアの鍵穴に差し込んで開錠又は施錠を行うための表示機能付き鍵であって、鍵本体と、前記鍵本体に設けられ、前記鍵穴に差し込んで前記ドアの開錠又は施錠を行うための鍵部と、前記鍵本体に設けられ、前記ドアの開錠状態又は施錠状態に応じて異なる色を発光表示する発光表示手段と、を備えたことを特徴とするものである。
【００１０】
この請求項１の発明によれば、前記鍵部は前記ドアの鍵穴より信号を受信する受信手段を有し、前記鍵本体は前記受信手段により受信された信号に基づいて前記ドアの開錠状態又は施錠状態を発光表示するようにしてもよい。
【００１１】
請求項３の発明に係るドア開閉状態確認システムは、鍵とドア間で通信を行うドア開閉状態確認システムであって、前記ドアは、開錠状態又は施錠状態を判断する開閉判断手段と、前記鍵との間で通電して前記開閉判断手段で判断された開錠状態又は施錠状態を示す信号を前記鍵部に送出する通信手段と、を有し、前記鍵は、前記ドアとの間で通電して前記通信手段により送出される信号を受信する受信手段と、前記受信手段で受信された信号に基づいて前記ドアの開錠状態又は施錠状態を異なる色で発光表示する発光表示手段と、を有したことを特徴とするものである。
【００１２】
請求項４の発明に係るドア開閉状態確認システムは、インターネットを介して鍵とドアを有する住居間で通信を行うドア開閉状態確認システムであって、前記住居は、前記ドアの開錠状態又は施錠状態を判断する開閉判断手段と、前記インターネットを介して前記鍵と交信して前記開閉判断手段で判断された開錠状態又は施錠状態を示す信号を前記鍵に送信する送信手段と、を有し、前記鍵は、前記インターネットを介して前記住居と交信して前記送信手段により送信される信号を受信する受信手段と、前記受信手段で受信された信号に基づいて前記ドアの開錠状態又は施錠状態を異なる色で発光表示する発光表示手段と、を有したことを特徴とするものである。
【００１３】
この請求項４の発明によれば、前記送信及び受信手段は、メールを用いて行うようにしてもよい。
【００１４】
【発明の実施の形態】
以下に添付図面を参照して、本発明にかかる実施の形態を詳細に説明する。
【００１５】
まず、本実施の形態による鍵について説明する。図１は本実施の形態による鍵の一構成を示す側面図である。鍵１は、例えば図１に示したように、鍵本体１１、鍵部１２、表示部１３等により構成される。
【００１６】
鍵本体１１は、矩形状に設けられ、一側面に鍵部１２を突出させた構成である。鍵部１２は、鍵穴に差し込んでドアの開錠又は施錠を行うものである。表示部１３は、鍵本体１１の一側面に設けられ、ドアの開錠状態又は施錠状態を表示する機能を有している。この表示部１３は、ドアが施錠状態である場合に青を点灯し、開錠状態である場合に赤を点灯する機能を有している。なお、以上の表示例は一例に過ぎず、他の表示色あるいは表示形態でもよいことはいうまでもない。
【００１７】
つづいて、本実施の形態によるドアについて説明する。図２（Ａ）及び（Ｂ）は本実施の形態によるドアの一構成を示す側面図である。図２（Ａ）及び（Ｂ）において、２はドアを示している。このドア２は、例えば図２に示したように、ドア本体２１、ドアノブ２２、ストッパ２３等を備えた構成である。このドア２は、ドア２を閉めたときに住宅側のドア枠３０に対向してストッパ２３を設けた側面を面接させる構成である。
【００１８】
図２（Ａ）は、屋外からドア２を見たビューであり、これを外側という。同図（Ｂ）は屋内からドア２を見たビューであり、これを内側という。ドア２は、図２（Ｂ）に示したように、内側に信号発信装置２５を設けている。この信号発信装置２５は、ドア２がただ閉まっているだけではなく、開錠状態となっているのか施錠状態になっているのかを信号として発生する機能を有している。後述するが、この施錠状態信号発信装置２５により発生する信号は、ドア２１の鍵穴を通して鍵１に送出されるものである。
【００１９】
つぎに、本実施の形態による鍵の内部構成について説明する。図３は本実施の形態による鍵内部の一構成を示すブロック図である。鍵１は、例えば図３に示したように、赤発光素子３１と青発光素子３３とにより構成される表示部１３と、赤発光素子３１，青発光素子３３にそれぞれ電力を供給するバッテリ３２，３４と、無線信号を受信する信号受信装置３５と、ドア２の鍵穴を通じて信号を取り込む端子３６とにより構成される。
【００２０】
この鍵１においては、信号発生装置２５で発生した信号（開閉状態を示す信号）が端子３６を通じて内部に入力されると、入力信号に応じて開錠状態の際は赤発光素子３１が発光制御され、一方、施錠状態の際は青発光素子３３が発光制御される。また、信号発生装置２５で発生した信号（開閉状態を示す信号）が無線によって受信された際には、無線信号が信号受信装置３５により受信されると、その信号受信装置３５に受信された信号に応じて開錠状態の際は赤発光素子３１が発光制御され、一方、施錠状態の際は青発光素子３３が発光制御される。
【００２１】
つづいて、本実施の形態による住宅及びドア側の内部構成について説明する。図４は本実施の形態による住宅及びドア側の一構成を示すブロック図である。
【００２２】
住宅とドアの内部構成においては、例えば図４に示したように、電気的に接続された回路において、ドア２には信号発信装置２５が設けられ、住宅３にはコンセントにつなぐプラグ４１、メール配信装置４２、記憶装置４３等が設けられている。
【００２３】
記憶装置４は、開閉状態を示す情報、メール配信元となるアドレス情報、メール配信先となるアドレス情報等を記憶する。メール配信装置４２は、ドアの開閉状態に変化があると、記憶装置４から開閉状態を示す信号を取り出し、この信号に配信元のアドレス情報を付してメール配信先のアドレス情報に基づいて配信する機能を有している。メール配信装置４２は、ネットワーク１００を通じて鍵１にメールを配信する。
【００２４】
つぎに、本実施の形態による動作について説明する。図５は本実施の形態によるドア側の動作を説明するフローチャート、図６は本実施の形態による住居側の動作を説明するフローチャート、そして、図７は本実施の形態による鍵側の動作を説明するフローチャートである。
【００２５】
まず、ドア２の信号発信装置２５においては（図５参照）、ユーザがドア２を閉めると、まずドア２を閉めたことで、信号発生装置２５によりによりその確認が行われる（ステップＳ５１）。
【００２６】
鍵のかけ忘れがあれば、信号発生装置２５によりドア２の開錠状態が判断され（ステップＳ５２のＹＥＳルート）、一方、ユーザがしっかりとドア２に鍵をかければ、信号発生装置２５によりドア２の施錠状態が判断される（ステップＳ５２のＮＯルート）。
【００２７】
開錠状態の場合には、信号発生装置２５により開錠状態を示す信号が発生され（ステップＳ５３）、一方、施錠状態の場合には、信号発生装置２５により施錠状態を示す信号が発生される（ステップＳ５４）。このようにして、開錠か施錠かに応じた信号が発生されると、住宅３の記憶装置４３に開閉状態を示す情報として記憶される。さらに、鍵穴への鍵部１２の差し込みにより端子３６，４１間の通電により鍵１への信号送出が完了する。以降は、前述した通り、開閉状態に応じて点灯すべき色の発光素子が発光駆動する。
【００２８】
住宅３においては（図６参照）、信号発信装置２５において開閉状態に変化があると、次の動作が実行される。すなわち、開錠状態の際には（ステップＳ６１のＹＥＳルート）、記憶装置４３より配信先、配信元のメールアドレスが読み出され（ステップＳ６２）、開閉状態を示す情報を配信するため、その配信先のメールアドレスに開錠状態を示す情報が通知される（ステップＳ６３）。
【００２９】
一方、施錠状態の際には（ステップＳ６１のＮＯルート）、記憶装置４３より配信先、配信元のメールアドレスが読み出され（ステップＳ６４）、開閉状態を示す情報を配信するため、その配信先のメールアドレスに施錠状態を示す情報が通知される（ステップＳ６５）。
【００３０】
住宅３によるメール配信があった際、鍵１側では、信号受信装置３５において、無線により信号が受信されると（ステップＳ７１）、その信号から開錠状態かそれとも施錠状態かの判断がなされる（ステップＳ７２）。その結果、開錠状態の場合には（ステップＳ７２のＹＥＳルート）、赤発光素子３１に対して赤発光の表示制御が行われる（ステップＳ７３）。
【００３１】
一方、施錠状態の場合には（ステップＳ７２のＮＯルート）、青発光素子３３に対して青発光の表示制御が行われる（ステップＳ７４）。このようにして、ユーザはドア２から離れても鍵１自体から開錠したままなのか、それとも施錠をしっかりしたのかを知ることが可能である。
【００３２】
以上説明したように、本実施の形態によれば、外出時に必ず携帯する鍵から自宅の施錠状況を簡単に確認することが可能である。また、外出時に、自宅の施錠状況の変化を携帯している鍵からを簡単に確認することが可能である。
【００３３】
【発明の効果】
以上説明したように本発明によれば、外出時に必ず携帯する鍵から自宅の施錠状況を簡単に確認することが可能な表示機能付き鍵及びドア開閉状態確認システムを提供できるという効果を奏する。
【００３４】
また、本発明によれば、外出時に、自宅の施錠状況の変化を携帯している鍵からを簡単に確認することが可能なドア開閉状態確認システムを提供できるという効果を奏する。
【図面の簡単な説明】
【図１】本実施の形態による鍵の一構成を示す側面図である。
【図２】本実施の形態によるドアの一構成を示す側面図である。
【図３】本実施の形態による鍵内部の一構成を示すブロック図である。
【図４】本実施の形態による住宅及びドア側の一構成を示すブロック図である。
【図５】本実施の形態によるドア側の動作を説明するフローチャートである。
【図６】本実施の形態による住居側の動作を説明するフローチャートである。
【図７】本実施の形態による鍵側の動作を説明するフローチャートである。
【符号の説明】
１  鍵
２  ドア
３  住宅構造
１１  鍵本体
１２  鍵
１３  表示部
２１  ドア本体
２２，２４  ドアノブ
２３  ストッパ
２５  信号発信装置
３０  ドア枠
３１  赤発光素子
３２，３４  バッテリ
３３  青発光素子
３５  信号受信装置
３６  端子
４１  プラグ
４２  メール配信装置
４３  記憶装置
【図１】
2004270195.tif 000003
【図２】
2004270195.tif 000004
【図３】
2004270195.tif 000005
【図４】
2004270195.tif 000006
【図５】
2004270195.tif 000007
【図６】
2004270195.tif 000008
【図７】
2004270195.tif 000009